【手続補正書】
【提出日】平成18年11月10日(2006.11.10)
【手続補正１】
【補正対象書類名】明細書
【補正対象項目名】特許請求の範囲
【補正方法】変更
【補正の内容】
【特許請求の範囲】
【請求項１】  被写体を撮像する光学系と、前記光学系により撮像された被写体像を光電変換する光電変換手段と、前記光電変換手段から電気信号を出力する電気信号出力手段と、前記光学系と前記光電変換手段との位置を規制する位置規制手段とを具備した撮像装置において、前記電気信号出力手段が、前記光電変換手段と前記位置規制手段との間にあることを特徴とする撮像装置。
【請求項２】  前記位置規制手段は、前記光電変換手段と接触するための接触体を有することを特徴とする請求項１記載の撮像装置。
【請求項３】  前記接触体は、複数の突起であることを特徴とする請求項２記載の撮像装置。
【請求項４】  前記電気信号出力手段は、前記光電変換手段と前記位置規制手段との接触部を避ける外形形状をしていることを特徴とする請求項２または３記載の撮像装置。
【請求項５】  前記電気信号出力手段の前記光電変換手段と接触する部分の外形形状は、前記光電変換手段の外形形状に略等しいことを特徴とする請求項２乃至４の何れかに記載の撮像装置。
【請求項６】  前記位置規制手段は、前記光電変換手段と接触するための接触体の近傍に開口部を有することを特徴とする請求項２乃至５の何れかに記載の撮像装置。
【請求項７】  前記光電変換手段は、パッケージに収められた撮像素子であることを特徴とする請求項１乃至６の何れかに記載の撮像装置。
【請求項８】  前記電気信号出力手段は、プリント基板であることを特徴とする請求項１乃至７の何れかに記載の撮像装置。
【請求項９】  前記撮像素子を収めた前記パッケージを取り付けるプリント基板の前記撮像素子と電気的な接続を行う面と逆の面に、前記プリント基板を略覆うグランドのパターンを形成したことを特徴とする請求項８記載の撮像装置。
【請求項１０】  前記プリント基板は、フレキシブルプリント基板であることを特徴とする請求項８または９記載の撮像装置。
【請求項１１】  前記プリント基板は、ハードプリント基板であることを特徴とする請求項８または９記載の撮像装置。
【請求項１２】  前記パッケージは、リードレスチップキャリアパッケージであることを特徴とする請求項７または９記載の撮像装置。
【請求項１３】  前記撮像装置は、デジタルカメラであることを特徴とする請求項１乃至１２の何れかに記載の撮像装置。
【請求項１４】  前記撮像装置は、ビデオカメラであることを特徴とする請求項１乃至１１または１２記載の撮像装置。
【請求項１５】  リードレス電気部品を装置本体内の取付位置に実装する装置であって、前記リードレス電気部品を一部に所定の間隙をもって実装すると共に、該リードレス電気部品を前記取付位置に位置決めするための位置規制用部材と、前記リードレス電気部品の電極に電気的に接続され前記間隙を介して導出されたプリント基板とからなることを特徴とするリードレス電気部品実装装置。
【請求項１６】  前記リードレス電気部品は撮像素子であり、前記装置本体は光学系であることを特徴とする請求項１５記載のリードレス電気部品実装装置。
【請求項１７】  前記リードレス電気部品は前記位置規制用部材上に接着されていることを特徴とする請求項１６記載のリードレス電気部品実装装置。
【手続補正２】
【補正対象書類名】明細書
【補正対象項目名】００１６
【補正方法】変更
【補正の内容】
【００１６】
また、上記第１の目的を達成するために請求項５記載の撮像装置は、請求項２乃至４の何れかに記載の撮像装置において、前記電気信号出力手段の前記光電変換手段と接触する部分の外形形状は、前記光電変換手段の外形形状に略等しいことを特徴とする。
【手続補正３】
【補正対象書類名】明細書
【補正対象項目名】００１７
【補正方法】変更
【補正の内容】
【００１７】
また、上記第１の目的を達成するために請求項６記載の撮像装置は、請求項２乃至５の何れかに記載の撮像装置において、前記位置規制手段は、前記光電変換手段と接触するための接触体の近傍に開口部を有することを特徴とする。
【手続補正４】
【補正対象書類名】明細書
【補正対象項目名】００１８
【補正方法】変更
【補正の内容】
【００１８】
また、上記第１の目的を達成するために請求項７記載の撮像装置は、請求項１乃至６の何れかに記載の撮像装置において、前記光電変換手段は、パッケージに収められた撮像素子であることを特徴とする。
【手続補正５】
【補正対象書類名】明細書
【補正対象項目名】００１９
【補正方法】変更
【補正の内容】
【００１９】
また、上記第１の目的を達成するために請求項８記載の撮像装置は、請求項１乃至７の何れかに記載の撮像装置において、前記電気信号出力手段は、プリント基板であることを特徴とする。
【手続補正６】
【補正対象書類名】明細書
【補正対象項目名】００２０
【補正方法】変更
【補正の内容】
【００２０】
また、上記第２の目的を達成するために請求項９記載の撮像装置は、請求項７記載の撮像装置において、前記撮像素子を収めた前記パッケージを取り付けるプリント基板の前記撮像素子と電気的な接続を行う面と逆の面に、前記プリント基板を略覆うグランドのパターンを形成したことを特徴とする。
【手続補正７】
【補正対象書類名】明細書
【補正対象項目名】００２４
【補正方法】変更
【補正の内容】
【００２４】
また、上記第１及び第２の目的を達成するために請求項１３記載の撮像装置は、請求項１乃至１２の何れかに記載の撮像装置において、前記撮像装置は、デジタルカメラであることを特徴とする。
【手続補正８】
【補正対象書類名】明細書
【補正対象項目名】００２５
【補正方法】変更
【補正の内容】
【００２５】
また、上記第１及び第２の目的を達成するために請求項１４記載の撮像装置は、請求項１乃至１２の何れかに記載の撮像装置において、前記撮像装置は、ビデオカメラであることを特徴とする。
【手続補正９】
【補正対象書類名】明細書
【補正対象項目名】００２６
【補正方法】変更
【補正の内容】
【００２６】
また、上記第１及び第２の目的を達成するために請求項１５記載のリードレス電気部品実装装置は、リードレス電気部品を装置本体内の取付位置に実装する装置であって、前記リードレス電気部品を一部に所定の間隙をもって実装すると共に、該リードレス電気部品を前記取付位置に位置決めするための位置規制用部材と、前記リードレス電気部品の電極に電気的に接続され前記間隙を介して導出されたプリント基板とからなることを特徴とするものである。
【手続補正１０】
【補正対象書類名】明細書
【補正対象項目名】００２７
【補正方法】変更
【補正の内容】
【００２７】
また、上記第１及び第２の目的を達成するために請求項１６記載のリードレス電気部品実装装置は、請求項１５記載のリードレス電気部品実装装置において、前記リードレス電気部品は撮像素子であり、前記装置本体は光学系であることを特徴とするものである。
【手続補正１１】
【補正対象書類名】明細書
【補正対象項目名】００２８
【補正方法】変更
【補正の内容】
【００２８】
更に、上記第１及び第２の目的を達成するために請求項１７記載のリードレス電気部品実装装置は、請求項１５記載のリードレス電気部品実装装置において、前記リードレス電気部品は前記位置規制用部材上に接着されていることを特徴とするものである。